(57)【要約】  【課題】１つの操作部材の操作で切り換えることのできる接点の切換数を３よりも多くすることができる構造を得る。  【解決手段】  絶縁性のベース１１の表面と平行な左右方向の回転操作並びに押し込み操作及び該ベース１１と直角な前後方向の傾倒操作とを可能にして該ベース１１上に取り付けられた操作部材１５と、該操作部材１５を常時基準位置に復元するように付勢している捩りコイルバネ２１と、該操作部材１５の左又は右方向の回転操作により作動する第１及び第２のスイッチＳＷ１，ＳＷ２と、該操作部材１５の押し込み操作により作動する第３のスイッチＳＷ３と、該操作部材１５の前後の傾倒操作により作動する第４及び第５のスイッチＳＷ４，ＳＷ５とを設け、１つの操作部材１５を左又は右方向に回転操作させると第１又は第２のスイッチＳＷ１，ＳＷ２が操作され、押し込み操作すると第３のスイッチＳＷ３が操作され、前又は後方向に傾倒操作させると第４又は第５のスイッチＳＷ４，ＳＷ５が操作されるようにして、１つの操作部材１５で５つの接点を切換できるようにした。【選択図】図１
2005108570.tif 000002
【特許請求の範囲】
【請求項１】
絶縁性のベースと、
該ベースの表面と平行な左右方向の回転並びに押し込み操作、及び該ベースと直角な前後方向の傾倒操作とを可能にして該ベース上に設けた操作部材と、
該操作部材を常時基準位置に復元するように付勢している付勢部材と、
該操作部材の左右方向の回転操作により作動する第１及び第２のスイッチと、
該操作部材の押し込み操作により作動する第３のスイッチと、
該操作部材の前後方向の傾倒操作により作動する第４及び第５のスイッチと、
とを備えたことを特徴とする複合操作型スイッチ装置。
【請求項２】
上記ベース上に、上記操作部材の押し込み操作と一体に前記ベース上をスライド移動して上記第３のスイッチの切り換えを操作するスライド部材と、該スライド部材上に回転可能に取り付けられて前記操作部材と一体に左又は右方向に回転し、該回転方向に応じて上記第１又は第２のスイッチの切り換えを操作する回転板とを設けたことを特徴とする請求項１記載の複合操作型スイッチ装置。
【請求項３】
上記操作部材は、樹脂材で形成されて中間部が上記回転板に一体回転可能に取り付けられていると共に、該中間部を支点として前後方向に傾動可能に取り付けられて成り、前記操作部材を前方向に傾倒させると前記中間部を挟んだ一端側が上記第４のスイッチを押圧して該第４のスイッチの切り換えを操作し、後方向に回動させると前記中間部を挟んだ他端側が上記第５のスイッチを押圧して該第５のスイッチの切り換えを操作するように構成したことを特徴とする請求項２記載の複合操作型スイッチ装置。
【請求項４】
上記ベースに上方に向かって突設された支軸を一体に設けると共に、上記スライド部材の略中央に該スライド部材のスライド方向に沿って延びる前記ベースの前記支軸が挿入される長孔を設けたことを特徴とする請求項２又は３記載の複合操作型スイッチ装置。
【請求項５】
上記付勢部材は、中央の巻回部と該巻回部の両端から外側に向かって上記ベースの表面と平行に延ばされている一対の腕部とを有した捩りコイルバネとして作られ、前記巻回部を上記回転板上に重ね合わせて配置された上記操作部材の上から前記回転板上に取り付け、前記一対の腕部を前記ベースに固定して成ることを特徴とする請求項２，３又は４記載の複合操作型スイッチ装置。
【請求項６】
上記回転板上に上記第１及び第２のスイッチ用の電極パターンを設けていると共に、上記スライド部材上に前記電極パターンと接触する摺動子片を設け、上記操作部材の左右方向のどちらか一方の回転動作時に、回転開始時に摺動子片と前記電極パターンとが閉成することでなる第１の電気回路と、更に回転を同方向に行うことで前記摺動子片と他の摺動子片と前記電極パターンとからなる第２の電気回路に切り替わることを特徴とする請求項２，３，４又は５記載の複合操作型スイッチ装置。
【請求項７】
上記ベースは上面が開口され底面及び側面が閉じられた収納部を有し、該収納部内に上記スライド部材と上記回転板と上記操作部材と上記付勢部材をそれぞれ収納し、前記ベースの外部から前記操作部材の上記左右方向の回転並びに押し込み操作及び前後方向の傾動操作を行う操作部を除いて前記ベースの上面をカバーで覆って閉じて成ることを特徴とする請求項２，３，４，５又は６記載の複合操作型スイッチ装置。
【請求項８】
上記ベースの相対向する両側面に係止爪を設けていると共に、上記カバー取付時に前記ベースを挟むようにして前記ベースの前記両側面に沿って摺動し、前記係止爪に対応する位置で該係止爪と相互に係合して抜け止めされる係合孔をそれぞれ有する係止片を上記カバーの左右両側縁に設けたことを特徴とする請求項７記載の複合操作型スイッチ装置。
【発明の詳細な説明】
【技術分野】
【０００１】
本発明は、複合操作型スイッチ装置に関するものであり、特に、１つの操作部材で異なる５つの操作を可能にし、各操作毎に電気信号を出力することが可能な複合操作型スイッチ装置に関するものである。
【背景技術】
【０００２】
一般に、ビデオカメラやデジタルカメラ，オーディオＣＤプレイヤー，携帯電話機等の電子機器に於ける入力部品として使用される複合操作型スイッチ装置は、所定の処理を行うために複数のスイッチを円滑に連続して作動させることが要求される。
【０００３】
そこで、１つの操作部材を左方向に回転操作すると第１のスイッチが操作され、右方向に回転操作すると第２のスイッチが操作されるというように、１つの操作部材の回転操作で異なる２つのスイッチ操作を可能したスイッチ装置(特許文献１参照)や、１つの操作部材を右方向に回転操作すると第１のスイッチが操作され、左方向に回転操作すると第２のスイッチが操作され、押し込み操作すると第３のスイッチが操作されるというように、１つの操作部材で異なる３つのスイッチ操作を可能にしたスイッチ装置(特許文献２参照)も知られている。
【特許文献１】特開平９−６３４２０号公報
【特許文献２】特開２００１−１４３５７７号公報
【発明の開示】
【発明が解決しようとする課題】
【０００４】
上述したように、特許文献１のスイッチ装置では１つの操作部材の操作で異なる２つのスイッチの接点切り換えが可能で、特許文献２のスイッチ装置では１つの操作部材で異なる３つの接点切り換えが可能になっている。しかしながら、近年の多機能化された情報機器に於ける入力部品として使用するには、２つ，３つの切換数では少ない。又、接点の切換数が少ない複合操作型スイッチ装置を入力部品とした場合では、多種の操作を行うことは不可能で、多種の操作を行うには複数個のスイッチ装置を使用する必要が生じて来る。しかし、例えば携帯用情報機器に複数のスイッチ装置を使用した場合には、機器が大型になるという問題があった。
【０００５】
そこで、１つの操作部材による操作で切り換えることのできる接点の切換数を３以上よりも多くし、１つの操作部材で多種の操作を可能にする構造を得るために解決すべき技術課題が生じてくるのであり、本発明はこの課題を解決することを目的とする。
【課題を解決するための手段】
【０００６】
本発明は上記目的を達成するために提案されたものであり、請求項１記載の発明は、絶縁性のベースと、該ベースの表面と平行な左右方向の回転操作並びに押し込み操作及び該ベースと直角な前後方向の傾倒操作とを可能にして該ベース上に設けられた操作部材と、該操作部材を常時基準位置に復元するように付勢している付勢部材と、該操作部材の左右方向の回転操作により作動する第１及び第２のスイッチと、該操作部材の押し込み操作により作動する第３のスイッチと、該操作部材の前後方向の傾倒操作により作動する第４及び第５のスイッチ、とを備えた複合操作型スイッチ装置を提供する。
【０００７】
この構成によれば、操作部材を左又は右の方向に回転させると第１又は第２のスイッチが操作され、操作部材を押し込み操作すると第３のスイッチが操作される。又、操作部材を前又は後の方向に傾倒操作させると第４又は第５のスイッチが操作される。すなわち、従来の複合操作型スイッチ装置は１つの操作部材で操作できる接点の切換数が３つであったのに対し、本発明の複合操作型スイッチ装置では、５つの切換数を持つことができる。
【０００８】
請求項２記載の発明は、上記ベース上に、上記操作部材の押し込み操作と一体に前記ベース上をスライド移動して上記第３のスイッチの切り換えを操作するスライド部材と、該スライド部材上に回転可能に取り付けられて前記操作部材と一体に左又は右方向に回転し、該回転方向に応じて上記第１又は第２のスイッチの切り換えを操作する回転板とを設けた請求項１記載の複合操作型スイッチ装置を提供する。
【０００９】
この構成によれば、操作部材を押し込み操作するとスライド部材が操作部材と一体にスライド移動し、該スライド部材を介して第３のスイッチが切り換え操作される。スライド操作部材を左又は右方向に回転させると回転板が操作部材と同じ左又は右方向に回転し、該回転板の回転方向に応じて第１又は第２のスイッチが切り換え操作される。
【００１０】
請求項３記載の発明は、上記操作部材は、樹脂材で形成されて中間部が上記回転板に一体回転可能に取り付けられていると共に、該中間部を支点として前後方向に傾動可能に取り付けられて成り、前記操作部材を前方向に傾倒させると前記中間部を挟んだ一端側が上記第４のスイッチを押圧して該スイッチの切り換えを操作し、後方向に回動させると前記中間部を挟んだ他端側が上記第５のスイッチを押圧して第５のスイッチの切り換えを操作するように構成した請求項２記載の複合操作型スイッチ装置を提供する。
【００１１】
この構成によれば、操作部材は中間部を支点として前後方向に傾動可能で、操作部材を前方向に傾倒させると操作部材の一端側が第４のスイッチに押圧され、該押圧で該第４のスイッチが切り換え操作され、反対に後方向に傾倒させると操作部材の他端側が第５のスイッチに押圧され、該押圧で該第５のスイッチが切り換え操作される。
【００１２】
請求項４記載の発明は、上記ベースに上方に向かって突設された支軸を一体に設けると共に、上記スライド部材の略中央に該スライド部材のスライド方向に沿って延びる前記ベースの前記支軸が挿入される長孔を設けた請求項２又は３記載の複合操作型スイッチ装置を提供する。
【００１３】
この構成によれば、ベース上でスライドするスライド部材の移動を、ベースの支軸とスライド部材の長孔との係合で案内することができる。
【００１４】
請求項５記載の発明は、上記付勢部材は、中央の巻回部と、該巻回部の両端から外側に向かって上記ベースの表面と平行に延ばされている一対の腕部とを有した捩りコイルバネとして作られ、前記巻回部を上記回転板上に重ね合わせて配置された上記操作部材の上から前記回転板上に取り付け、前記一対の腕部を前記ベースに固定して成る請求項２，３又は４記載の複合操作型スイッチ装置を提供する。
【００１５】
この構成によれば、捩りコイルバネにより、操作部材を常時基準位置に復元するように付勢しておくことができる。
【００１６】
請求項６記載の発明は、上記回転板上に上記第１及び第２のスイッチ用の電極パターンを設けていると共に、上記スライド部材上に前記電極パターンと接触する摺動子片を設け、上記操作部材の左右方向の回転動作時に、回転開始時に摺動子片と前記電極パターンとが閉成することでなる第１の電気回路と、更に回転を同方向に行うことで前記摺動子片と他の摺動子片と前記電極パターンとからなる第２の電気回路に切り替わることを特徴とする請求項２，３，４又は５記載の複合操作型スイッチ装置を提供する。
【００１７】
この構成によれば、操作部材の左右方向のどちらか一方の回転動作に於いて、回転開始時に摺動子片と前記電極パターンとが閉成することでなる第１の電気回路と、更に回転を同方向に行うことで前記摺動子片と他の摺動子片と前記電極パターンとからなる第２の電気回路に切り替わることで、例えばオーディオＣＤプレイヤーの回転速度等を２段階に設定することができる。すなわち、第１の電気回路で発生した電気信号を第１の回転速度信号とし、第２の電気回路で発生した電気信号を第１の回転速度の２倍以上の第２の回転速度信号とすることで回転速度の強弱信号を１つの回転操作で発生させることができる。
【００１８】
請求項７記載の発明は、上記ベースは上面が開口され底面及び側面が閉じられた収納部を有し、該収納部内に上記スライド部材と上記回転板と上記操作部材と上記付勢部材をそれぞれ収納し、前記ベースの外部から前記操作部材の上記左右方向の回転並びに押し込み操作及び前後方向の傾動操作を行う一部を除いて前記ベースの上面をケースで覆って閉じて成る請求項２，３，４，５又は６記載の複合操作型スイッチ装置を提供する。
【００１９】
この構成によれば、上面がカバーで覆われるベースに、底面と側面が閉じられた収納部を形成し、該収納部内にスライド部材と回転板と操作部材と付勢部材とを配置している。従って、収納部の底面及び側面は閉じられ、該底面及び側面にはフラックスの侵入を許す隙間を設けていないので、該複合操作型スイッチ装置をリフローはんだ付けする際に、ベースの下面にリフローはんだが触れても、該リフローはんだのフラックスが収納部内に侵入することはない。
【００２０】
請求項８記載の発明は、上記ベースの相対向する両側面に係止爪を設けていると共に、上記カバー取付時に前記ベースを挟むようにして前記ベースの前記両側面に沿って摺動し、前記係止爪に対応する位置で該係止爪と相互に係合して抜け止めされる係合孔をそれぞれ有する係止片を上記カバーの左右両側縁に設けた請求項７記載の複合操作型スイッチ装置を提供する。
【００２１】
この構成によれば、カバーにおける係止片をベースの両側面に沿って摺動させて行くと、係止片の係合孔がベースの係止爪と対応した位置で、係合孔と係止爪が相互に係合され、該係合によりカバーをベースに抜け止めした状態にして簡単に取り付けることができる。
【発明の効果】
【００２２】
本発明の請求項１記載の複合操作型スイッチ装置は、１つの操作部材の操作で５つの接点を切り換えることができる。従って、１つの操作部材で多種の操作を行うことが可能となり、使用するスイッチ装置の数を減らして機器の小型化を図ることができるという利点がある。
【００２３】
又、本発明の請求項２記載の複合操作型スイッチ装置は、請求項１記載の発明の効果に加え、操作部材を押し込み操作するとスライド部材が操作部材と一体にスライド移動されて第３のスイッチを切り換え操作し、操作部材を左又は右方向に回転操作させると回転板が操作部材と同じ左又は右方向に回転されて、該回転方向に応じて第１又は第２のスイッチを切り換え操作するので、操作部材の回転及び押し込み操作をスライド部材又は回転板を介して、第１，第２，第３の各スイッチに操作を確実に伝えることができるという利点がある。
【００２４】
更に、本発明の請求項３記載の複合操作型スイッチ装置は、請求項２記載の発明の効果に加え、操作部材を前方向に傾倒させると操作部材の一端側が第４のスイッチに押圧されて該第４のスイッチが切り換え操作され、後方向に傾倒させると操作部材の他端側が第５のスイッチに押圧されて該第５のスイッチが切り換え操作されるので、第４及び第５のスイッチの切り換え操作をスムースに行わせることができるという利点がある。
【００２５】
更に、又、本発明の請求項４記載の複合操作型スイッチ装置は、請求項２又は３記載の発明の効果に加え、ベース上に於けるスライド部材の移動が、ベースの支軸とスライド部材の長孔との係合で案内されるようにしているので、スライド部材をベース上で所定のスライド方向へスムースに移動させることができるという利点がある。
【００２６】
又、本発明の請求項５載の複合操作型スイッチ装置は、請求項２，３又は４記載の発明の効果に加え、操作部材を常時基準位置に復元することができる付勢部材として、構造が単純で安価に作ることができる捩りコイルバネを用いているので、コストを下げて安価に提供することができるという利点がある。
【００２７】
更に、本発明の請求項６載の複合操作型スイッチ装置は、請求項２，３，４又は５記載の発明の効果に加え、回転速度等の２段階（強弱）信号を１つの回転操作で発生させることができる。
【００２８】
又、本発明の請求項７載の複合操作型スイッチ装置は、請求項２，３，４，５又は６記載の発明の効果に加え、ベースの収納部を形成している底面及び側面には、フラックス等の侵入を許す隙間が設けられていないので、リフローはんだ付け法を用いたはんだ実装を行っても、リフローはんだのフラックスが内部に侵入するということはない。従って、リフローはんだ付けに適した複合操作型スイッチ装置が得られるという利点がある。
【００２９】
更に、又、本発明の請求項８載の複合操作型スイッチ装置は、請求項７記載の発明の効果に加え、カバー側の係止片をベースの両側面に沿って摺動させて行くと、該係止片の係合孔とベースの係止爪が相互に係合され、該係合によりカバーをベースに抜け止めした状態にして簡単に取り付けることができるので、組立作業が簡略化できるという利点がある。
【発明を実施するための最良の形態】
【００３０】
１つの操作部材の操作で切り換えることのできる接点の切換数を３よりも多くすることができる構造を得るという目的を達成するために、１つの操作部材の左右方向の回転により作動する第１及び第２のスイッチと、該操作部材の押し込み操作により作動する第３のスイッチと、該操作部材の前後の傾倒操作により作動する第４及び第５のスイッチとを設け、１つの操作部材を左又は右の方向に回転させると第１又は第２のスイッチが操作され、押し込み操作すると第３のスイッチが操作され、前又は後の方向に傾倒操作させると第４又は第５のスイッチが操作されるようにして、１つの操作部材で５つの接点を切換できるようにした。
【実施例１】
【００３１】
図１乃至図７は本発明に係る複合操作型スイッチ装置の一実施例を示す。図１はその複合操作型スイッチ装置の要部分解斜視図、図２は該複合操作型スイッチ装置の正面図、図３は該複合操作型スイッチ装置のカバーを取り外して内部構造を示す平面図、図４は該複合操作型スイッチ装置の背面図、図５は該複合操作型スイッチ装置の側面図、図６は図２のＡ−Ａ線断面図、図７は図６のＢ−Ｂ線断面図である。
【００３２】
図１乃至図７に於いて、複合操作型スイッチ装置１０は、ベース１１と、カバー１２と、スライド部材１３と、回転板１４と、操作部材１５と、から主として構成されている。
【００３３】
そして、前記複合操作型スイッチ装置１０は、１つの操作部材１５の操作により次の(１)〜(５)に述べる５つの操作を可能にしている。
(１)操作部材１５を左方向に回転操作させると、回転板１４とスライド部材１３との間に設けられた第１のスイッチＳＷ１の接点の開閉が切り換え操作される。
(２)操作部材１５を右方向に回転操作させると、回転板１４とスライド部材１３との間に設けられた第２のスイッチＳＷ２の接点の開閉が切り換え操作される。
(３)操作部材１５を押し込み操作させると、回転板１４と共にスライド部材１３がスライド動作されて、該スライド部材１３とベース１１との間に設けられた第３のスイッチＳＷ３の接点の開閉が切り換え操作される。
(４)操作部材１５を前方向に傾倒させると、第４のスイッチＳＷ４の接点が切り換え操作される。
(５)操作部材１５を後方向に傾倒させると、第５のスイッチＳＷ５の接点が切り換え操作される。
【００３４】
すなわち、１つの操作部材１５の操作で５つのスイッチＳＷ１〜ＳＷ５の接点の開閉を切り換えることができるように構成されている。
【００３５】
以下、細部詳細構造を説明する。
【００３６】
前記ベース１１は、例えば樹脂材で形成されており、底面壁１１ａと、該底面壁１１ａから上方に向かって略直角に突設されている側面壁１１ｂとを一体に有し、内部に上面が開口された収納部１６を設けた構造に成っている。尚、側面壁１１ｂは連続して周回形成されており、これにより収納部１６は上面を除いて底面及び側面が、底面壁１１ａと側面壁１１ｂとで完全に閉じられ、下面側からのフラックス等の侵入を阻止できる構造になっている。
【００３７】
又、ベース１１の側面壁１１ｂの外面には、側面壁１１ｂから外側へ略直角に突出している略長方形形状をしている係止爪１７が左右に２個づつ、合計４個設けられている。各係止爪１７，１７…の上面側には、上側へ進むに従い側面壁１１ｂ側へ徐々に下がる傾斜面１７ａが形成されている。
【００３８】
更に、ベース１１の底面壁１１ａの内面で、且つ、スライド部材１３のスライド方向の前方端となる位置には、スライド部材１３のスライド方向(図３，図７中に示す矢印Ｄ−Ｕ方向)に沿って細長く延ばされた状態にして、固定接点エレメント１８ａ，１８ｂ，１８ｃ，１８ｄ，１８ｅ，１８ｆを設けて成る電極パターンが形成されている。尚、固定接点エレメント１８ａはスイッチＳＷ５用の接点に接続されているエレメントで、固定接点エレメント１８ｂはスイッチＳＷ１用の接点に接続されているエレメント、固定接点エレメント１８ｃはスイッチＳＷ３用の接点に接続されているエレメント、固定接点エレメント１８ｄは共通接点(ＣＯＭ)に接続されているエレメント、固定接点エレメント１８ｅはスイッチＳＷ２用の接点に接続されているエレメント、固定接点エレメント１８ｆはスイッチＳＷ４用の接点に接続されているエレメントである。
【００３９】
又、ベース１１の収納部１６内には、底面壁１１ａの略中央に位置して、該底面壁１１ａから上方に向かってピン状をした支軸１９が一体に形成されている。更に、ベース１１の収納部１６内には、支軸１９を挟んで、スライド部材１３のスライド方向の前方側に第４のスイッチＳＷ４を取り付け、スライド方向の後方側に第５のスイッチＳＷ５が取り付けられている。該第４のスイッチＳＷ４及び第５のスイッチＳＷ５は、例えばドーム状をした導電性部材と所定の電極パターンとを、該導電性部材を上側、すなわち操作部材１５と対応する側に配置して成る。そして、操作部材１５によりドーム状をした導電性部材が押されていないときには、該導電性部材は略完全なドーム状をなして所定の電極パターンと離れて開回路状態を保ち、操作部材１５で押されてドーム状の天井が凹んで電極パターンに接触すると閉回路状態になる。又、これらの回路状態の信号は固定接点エレメント１８ａと固定接点エレメント１８ｄ、又は固定接点エレメント１８ｆと固定接点エレメント１８ｄを介してそれぞれ取り出すことができる。
【００４０】
前記カバー１２は、金属薄板材、例えば銅合金をプレス成形して作られ、表面には錫メッキを施してある。該カバー１２は、ベース１１の上面を覆うことができる大きさをした本体部１２ａを備える。又、ベース１１の各係止爪１７，１７…と対応した位置には、各々係合孔２２を有する係止片１２ｂ，１２ｂ…が、本体部１２ａから下側に向かって略直角に折り曲げられた状態にして形成されている。尚、該係止片１２ｂ，１２ｂ…は、弾性変形可能である。
【００４１】
前記スライド部材１３は、樹脂材で略円環状の環状部１３ａと該環状部１３ａを横切る連結部１３ｂとを一体に有し、中心にはスライド方向に細長く延びる上下に貫通している長孔３６を設けた支軸３７が上方に向かって突設されている。又、長孔３６の幅はベース１１の支軸１９の外径に略等しく形成されている。該スライド部材１３は、支軸１９を長孔３６に挿入させて収納部１６内に配置され、支軸１９と長孔３６との案内で図３及び図７中の矢印Ｄ−Ｕ方向にスライド可能にして配置されている。又、連結部１３ｂからスライド方向の前方(図２中の矢印Ｄ方向)に向かって下向きに、片持ち式の弾性を有する金属薄板材で形成されている第１の摺動子片３２ａ，３２ｂ，３２ｃ，３２ｄが突出し、連結部１３ａからスライド方向の後方(図２，図４及び図６中の矢印Ｕ方向)に向かって上向きで、且つ、片持ち式の弾性を有する金属薄板材で形成されている第２の摺動子片３４ａ，３４ｂ，３４ｃ，３４ｄが突出している。
【００４２】
尚、第１の摺動子片３２ａと第２摺動子片３４ａは第１のスイッチＳＷ１用の摺動子、第１の摺動子片３２ｂと第２摺動子片３４ｂは第３のスイッチＳＷ３用の摺動子、第３の摺動子片３２ｃと第２摺動子片３４ｃは共通端子(ＣＯＭ)用の摺動子、第１の摺動子片３２ｄと第２摺動子片３４ｄは第２のスイッチＳＷ２用の摺動子である。
【００４３】
前記回転板１４は、樹脂材で円板状に作られている。図８は該回転板１４の底面図である。図８から明かなように、回転板１４の下面側にはスライド部材１３上の第２摺動子３４ａ〜３４ｄと切り換え接触される電極パターン４１が形成されている。これに対して、回転板１４の上面側には、該回転板１４の中央にスライド部材１３の支軸３７を受け入れ可能な貫通孔３８が設けられていると共に、スライド部材１３のスライド方向と直角に交差する方向に延びる軸受溝部４０，４０が該貫通孔３８から連続した状態にして形成されている。更に、回転板１４には、スライド部材１３のスライド方向に沿い、且つ、貫通孔３８を挟んだ前後の位置にそれぞれ切欠部３９，３９が設けられている。
【００４４】
前記操作部材１５は、樹脂材で左右対称形状に一体的に構成されており、収納部１６内に配置される基部１５ａと、ベース１１から外側に突出して配置される操作部１５ｂとを一体に有している。基部１５ａの中間部１５ｃには支軸３７を受け入れ可能な貫通孔４２が設けられていると共に、回転板１４の軸受溝部４０，４０に回転可能に取り付けられる軸部１５ｄ，１５ｄが一体に形成されている。又、中間部１５ｃを挟んだ前後の部分の位置には、基部１５ａを左右に横切る溝を設けてなる肉薄部４４，４４が形成されている。
【００４５】
更に、回転板１４の切欠部３９，３９と対応している部分である押圧操作部１５ｅ，１５ｆは、下面から下側に向かって突出されていると共に、押圧操作部１５ｅ，１５ｆの下面側で、且つ第４のスイッチＳＷ４と第５のスイッチＳＷ５とそれぞれ対応している位置には、下面から真っ直ぐ下側に向かって突出している突出部４３が形成されている。尚、前記肉薄部４４，４４は、該押圧操作部１５ｅ，１５ｆの上面、すなわちベース１１と対抗していない面側で、且つ突出部４３と中間部１５ｃとの間に位置して形成されている。
【００４６】
捩りコイルバネ２１は、バネ性を有した細長い金属製の棒材で作られ、巻回部２１ａと、該巻回部２１ａの両端から外側に向かってベース１１の底面と平行に延ばされている一対の腕部２１ｂ，２１ｂとを有した捩りコイルバネで、操作部材１５の肉薄部４４，４４内に落とし込んだ状態にして配置可能になっている。
【００４７】
次に、上記説明した構造から成る複合操作型スイッチ装置１０の組立について説明する。先ず、スライド部材１３の環状部１３ａがスライド方向の後方(図３中の矢印Ｕ方向)側で、連結部１３ｂがスライド方向の前方(図３中の矢印Ｄ方向)側となるようにして、該スライド部材１３をベース１１の収納部１６内に配置する。次いで、回転板１４を、該回転板１４の電極パターン４１を下側に向け、且つ、貫通孔３８に支軸３７を挿入させてスライド部材１３上に配置する。続いて、肉薄部４４，４４を形成している溝を上側にして、回転板１４の上から操作部材１５を臨ませ、支軸３７を貫通孔４２に挿入させると共に、押圧操作部１５ｅ，１５ｆを切欠部３９，３９に対応させて、操作部材１５を回転板１４上に配置する。この状態では、操作部材１５の基部１５ａがベース１１内に配置され、操作部１５ｂがベース１１の外側に配置される。
【００４８】
続いて、スライド部材１３の上から捩りコイルバネ２１の巻回部２１ａを操作部材１５上に臨ませ、該巻回部２１を肉薄部４４，４４を形成している溝内に配置すると共に、両腕部２１ｂ，２１ｂを回転板１４の段部４５に係合させた状態でベース１１の両側内面に固定して取り付ける。この捩りコイルバネ２１の取り付けで、スライド部材１３には、回転板１４を介してスライド方向の後方(図３中の矢印Ｕ方向)に移動するバネ力が常に付与される。これにより、スライド部材１３及び回転板１４は、通常はスライド方向の後方、すなわち基準位置に配置された状態になる。これと同時に、左右方向に一体に回転する回転板１４と操作部材１５は、回転板１４の段部４５と捩りコイルバネ２１の腕部２１ｂ，２１ｂとの係合によりバランスされて中立位置に保持され、操作部材１５が垂直にスライド方向に延ばされた状態で保持されている。又、スライド部材１３が基準位置に配置されているとき、スライド部材１３の第１の摺動子片３２ａ，３２ｃ，３２ｄはベース１１側の固定接点エレメント１８ｂ，１８ｄ，１８ｅとそれぞれ互いに接触した状態で対応し、第１の摺動子片３２ｂはベース１１側の固定接点エレメント１８ｃと離れた状態で対応している。
【００４９】
次いで、回転板１４の上からカバー１２をベース１１に取り付けて行く。このカバー１２の取り付けでは、ベース１１の係止爪１７にカバー１２の係止片１２ｂを対応させ、該カバー１２をベース１１に向けて押し付けて行く。この押し付け操作で、各係止片１２ｂ，１２ｂ…は側面壁１１ｂの外側に沿って移動する。その途中で、各係止片１２ｂ，１２ｂ…が係止爪１７，１７…と衝合する。しかし、係止爪１７，１７…には、係止片１２ｂ，１２ｂ…の先端と衝合する面を傾斜面１７ａで形成しているので、係止片１２ｂ，１２ｂ…が係止爪１７，１７…と衝合すると、各係止片１２ｂ，１２ｂ…は自身の弾性変形特性によって傾斜面１７ａに倣って外側に撓んで逃がされる。そして、係合孔２２が係止爪１７，１７…を通過し終わると各係止片１２ｂ，１２ｂ…が弾性復帰されて、係合孔２２と係止爪１７が相互に係合され、この係合でカバー１２のベース１１からの脱落が防止され、これにより組立が完了する。
【００５０】
このように組み立てられた複合操作型スイッチ装置１０は、通常は、捩りコイルバネ２１のバネ力で、スライド部材１３が操作部材１５及び回転板１４と共にスライド方向の後方、すなわち前記基準位置に移動されている。この状態でユーザーが指で操作部材１５の操作部１５ｂを摘んで左又は右方向に回転させると、操作部材１５と回転板１４との係合支持により、回転板１４が操作部材１５と共にその位置で、支軸３７を支点として回転する。また、該回転板１４が回転するとき、該回転板１４の段部４５が捩りコイルバネ２１の腕部２１ｂ又は腕部２１ｃに当接され、該腕部２１ｂ又は腕部２１ｃを弾性変形させて撓ませながら回転する。この回転により第１のスイッチＳＷ１又は第２のスイッチＳＷ２を構成している回転板１４の裏面の電極パターン４１と第２の摺動子片３４ａ〜３４ｄとの位置が切り替わり、このときの信号を第１の摺動子片３２ａ〜３２ｄ、固定接点エレメント１８ｂ〜１８ｅを通して外部に取り出すことができる。斯して、第１のスイッチＳＷ１又は第２のスイッチＳＷ２の操作が終了したら、操作部材１５を回転させていた外力を解くと、それまで撓ませられていた捩りコイルバネ２１のバネ復帰力で操作部材１５及び回転板１４が中立位置に戻される。
【００５１】
ここで、操作部材１５が回転板１４と共に回転されて、第２の摺動子片３４ａ，３４ｂ，３４ｃ，３４ｄが回転板１４上の電極パターン４１と接触する時の動作を図９を用いて説明する。先ず、操作部材１５が左方向(図９中の矢印Ｌ方向)に回転されると、回転開始時に第２の摺動子片３４ｄが電極パターン４１の電極部分４１ａに当接し共通摺動子片３４ｃと第１段階の閉回路を形成し、更に回転を同方向に行うことで第２の摺動子片３４ａが電極パターン４１の電極部分４１ｂに当接し摺動子片３４ｄと摺動子片３４ａと共通摺動子片３４ｃとからなる第２段階の回路を形成し第１のスイッチＳＷ１の閉回路が構成される。反対に、操作部材１５が右方向(図９中の矢印Ｒ方向)に回転されると、回転開始時に第２の摺動子片３４ａが電極パターン４１の電極部分４１ｃに当接し共通摺動子片３４ｃと第１段階の閉回路を形成し、更に回転を同方向に行うことで第２の摺動子片３４ｄが電極パターン４１の電極部分４１ｄに当接し摺動子片３４ａと動子片３４ｄと共通摺動子片３４ｃとからなる第２段階の回路を形成し第２のスイッチＳＷ２の閉回路が構成されている。すなわち、本実施例の構造では、例えばオーディオＣＤプレイヤーの回転速度等を２段階に設定することができ、第１の電気回路で発生した電気信号を第１の回転速度信号とし、第２の電気回路で発生した電気信号を第１の回転速度の２倍以上の第２の回転速度信号とすることで回転速度の強弱信号を１つの回転操作で発生させることができる。
【００５２】
又、回転による第１のスイッチＳＷ１又は第２のスイッチＳＷ２の操作が終了したら、ユーザーが指で操作部材１５をスライド方向の前方に押す。該操作部材１５が押されると、操作部材１５と回転板１４とスライド部材１３が、捩りコイルバネ２１の腕部２１ｂ，２１ｂを弾性変形させて撓わませながら、長孔３６と支軸１９の合案内により、一体にスライド方向の前方にスライド移動される。このスライド移動でスイッチＳＷ３を構成している第２の摺動子片３２ｂが固定接点エレメト１８ｃに接触し、これがスイッチＳＷ３の動作信号として固定接点エレメント１８ｃ及び固定接点エレメント１８ｄを介して外部に取り出すことができる。又、操作部材１５への押圧を解くと、それまで撓ませられていた捩りコイルバネ２１のバネ力で、操作部材１５と回転板１４とスライド部材１３が一体にスライド方向の後方、すなわち基準位置に自動的に戻され、第２の摺動子片３２ａと固定接点エレメント１８ｄとの間の接触も解かれて第３のスイッチＳＷ３が開成される。
【００５３】
次に、操作部材１５が中立位置にある状態において、操作部材１５の操作部１５ｂをユーザーが指で前方向に押すと、操作部材１５は軸部１５ｄと軸受溝部４０との係合箇所を支点として前方向に傾倒する。操作部材１５が前側に傾倒すると、押圧操作部１５ｆの突出部４３が第４のスイッチＳＷ４を押下して閉回路にする。また、第４のスイッチＳＷ４の操作が終了したら、操作部１５ｂへの押力を解くと、捩りコイルバネ２１の弾性復帰力で中立位置に戻る。
【００５４】
反対に、操作部材１５の操作部１５ｂをユーザーが指で後方向に押すと、操作部材１５は軸部１５ｄと軸受溝部４０との係合箇所を支点として後方向に傾倒する。操作部材１５が後側に傾倒すると、押圧操作部部１５ｃの突出部４３が第５のスイッチＳＷ５を押下して閉回路にする。また、第５のスイッチＳＷ５の操作が終了したら、操作部１５ｂへの押力を解くと、捩りコイルバネ２１の弾性復帰力で中立位置に戻る。
【００５５】
このように本実施例の複合操作型スイッチ装置１０では、操作部材１５を左又は右方向に回転させると第１又は第２のスイッチＳＷ１，ＳＷ２が操作され、操作部材１５を押し込み操作すると第３のスイッチＳＷ３が操作され、操作部材１５を前又は後方向に傾倒操作させると第４又は第５のスイッチＳＷ４，ＳＷ５が操作されるというように、１つの操作部材１５で５つの切換数を持つことができることになる。
【００５６】
従って、このように構成された複合操作型スイッチ装置１０は、１つの操作部材１５の操作で５つの接点を切り換えることができるので、１つの操作部材１５の操作で多種の操作を行うことが可能になり、使用するスイッチ装置の数を減らして機器の小型化を図ることができるという利点がある。
【００５７】
操作部材１５を押し込み操作するとスライド部材１３が操作部材１５と一体にスライド移動されて第３のスイッチＳＷ３を切り換え操作し、操作部材１５を左又は右方向に回転操作させると回転板１４が操作部材１５と同じ左又は右方向に回転されて、該回転方向に応じて第１又は第２のスイッチＳＷ１，ＳＷ２を切り換え操作するので、操作部材１５の回転及び押し込み操作を、スライド部材１３又は回転板１４を介して、第１，第２，第３の各スイッチＳＷ１，ＳＷ２，ＳＷ３に操作を確実に伝えることができるという利点がある。
【００５８】
更に、操作部材１５を前方向に傾倒させると操作部材１５の一端側が第４のスイッチＳＷ４に押圧されて第４のスイッチＳＷ４が切り換え操作され、後方向に傾倒させると操作部材１５の他端側が第５のスイッチＳＷ５に押圧されて該第５のスイッチＳＷ５が切り換え操作されるので、第４及び第５のスイッチＳＷ４，ＳＷ５の切り換え操作をスムースに行わせることができるという利点がある。
【００５９】
更に、又、ベース１１上に於けるスライド部材１３の移動が、ベース１１の支軸１９とスライド部材１３の長孔３６との係合で案内されるようにしているので、スライド部材１３をベース１１上で所定のスライド方向へスムースに移動させることができるという利点がある。
【００６０】
又、操作部材を常時基準位置に復元することができるようにしている付勢部材を、構造が単純で安価に作ることができる捩りコイルバネ２１を用いているので、コストを下げて安価に提供することができるという利点がある。
【００６１】
更に、操作部材１５の左又は右方向への回転操作に於いて、回転開始時に摺動子片と前記電極パターンとが閉成することでなる第１の電気回路と、更に回転を同方向に行うことで前記摺動子片と他の摺動子片と前記電極パターンとからなる第２の電気回路に切り替わることで、回転速度等の２段階（強弱）信号を１つの回転操作で発生させることができる。
【００６２】
又、ベース１１の収納部１６を形成している底面及び側面にはフラックス等の侵入を許す隙間を設けていないので、リフローはんだ付け法を用いたはんだ実装を行っても、リフローはんだのフラックスが内部に侵入するということはない。従って、リフローはんだ付けに適した複合操作型スイッチ装置が得られるという利点がある。
【００６３】
更に、又、カバー１２側の係止片１２ｂをベース１１の両側面に沿って摺動させて行くと、該係止片１２ｂの係合孔２２とベース１１の係止爪１７が相互に係合され、該係合によりカバー１２をベース１１に抜け止めした状態にして簡単に取り付けることができるので、組立作業が簡略化できるという利点がある。
【００６４】
尚、本発明は、本発明の精神を逸脱しない限り種々の改変を為すことができ、そして、本発明が該改変されたものに及ぶことは当然である。
【図面の簡単な説明】
【００６５】
【図１】本発明の実施例に係る複合操作型スイッチ装置の要部分解斜視図。
【図２】本実施例装置の正面図。
【図３】本実施例装置の内部構造を示す平面図。
【図４】本実施例装置の背面図。
【図５】本実施例装置の側面図。
【図６】図２のＡ−Ａ線断面図。
【図７】図６のＢ−Ｂ線断面図。
【図８】本実施例装置の回転板の下面図。
【図９】本実施例装置に於ける回転板上の電極パターンと摺接子片との接触動作説明図。
【符号の説明】
【００６６】
１０        複合操作型スイッチ装置
１１        ベース
１１ａ      底面壁
１１ｂ      側面壁
１２        カバー
１２ｂ      係止片
１３        スライド部材
１４        回転板
１５        操作部材
１５ｆ      押圧操作部
１６        収納部
１７        係止爪
１７ａ      傾斜面
１８ａ，１８ｂ，１８ｃ，１８ｄ，１８ｅ，１８ｆ    固定接点エレメント
１９        支軸
２１        捩りコイルバネ
２１ａ      巻回部
２１ｂ，２１ｃ    腕部
２２        係合孔
３２ａ，３２ｂ，３２ｃ，３２ｄ  第１の摺動子片
３４ａ，３４ｂ，３４ｃ，３４ｄ  第２の摺動子片  
４４        肉薄部
４５        段部
【図１】
2005108570.tif 000003
【図２】
2005108570.tif 000004
【図３】
2005108570.tif 000005
【図４】
2005108570.tif 000006
【図５】
2005108570.tif 000007
【図６】
2005108570.tif 000008
【図７】
2005108570.tif 000009
【図８】
2005108570.tif 000010
【図９】
2005108570.tif 000011